(57)【要約】【課題】  異物や病虫害を受けた被害粒と、微石粒や小さい穀粒の除去ができる選別装置は、格別に選別経路を設けたり分離装置を組合せるために構造が複雑になり重量が増加し、移動や据付けの労力が増大する課題がある。【解決手段】  回転ドラムで穀粒を分別する下部選別体の下方にコンベヤを設けて揚穀装置に穀粒を受継がせる選別装置において、回転選別体２の下方に設けたコンベヤ３の受け樋５に小孔６を穿った下部選別体７を配置し、その小孔６の内側径８を外側径１０よりも狭くしたテーパー状にして目詰まりを防止するとともに、選別枠１１の下部に設けたキャスター１３を出退させて選別機Ａの高さ調節を可能にした微石粒除去装置である。【選択図】  図１
2006026466.tif 000002
【特許請求の範囲】
【請求項１】
多角形のドラムで穀粒を分別する回転選別体の下方にコンベヤを設け、該回転選別体の終端側に向けて穀粒を搬送する選別装置において、外周面（２１）に多数の通孔（１）を開口した回転選別体（２）を選別枠（１１）の上方に設置し、その下方に設けたコンベヤ（３）の受け樋（５）に小孔（６）を穿った下部選別体（７）を並設したことを特徴とする選別機の微石粒除去装置。
【請求項２】
受け樋（５）に設けた小孔（６）の内側径（８）を外側径（１０）よりも狭くし、該小孔（６）をテーパー状に成形したことを特徴とする請求項１に記載した選別機の微石粒除去装置。
【請求項３】
下部選別体（７）に接続する漏斗ケース（２７）を選別枠（１１）の下方に配置し、該漏斗ケース（２７）の両側に形成した空間部（４）にキャスター（１３ａ）、（１３ｂ）を出退自在に装着させたことを特徴とする請求項１に記載した選別機の微石粒除去装置。
【発明の詳細な説明】
【技術分野】
【０００１】
本発明は、回転ドラムによって穀粒を選別する回転選別装置と、その下方に並設したコンベヤの搬送中に微石粒を分離する除去装置を備えた選別装置に関するものである。
【背景技術】
【０００２】
従来、コンベヤが嵌挿する外筒の一端に被選別物を供給し、該外筒の下面側に小型の異物が通過する細孔と、これに続いて大径孔を穿孔してコンベヤの回転で終端部側に被選別物を移送しながら所要目的である大小の異物を選別する回転選別機がある（例えば特許文献１参照。）。この構成は、コンベヤ装置を単体の筒体内で回転させて小形の異物と大形の粗大物に分別する選別装置であり、大小の異物を上下二段の選別体で個別に選別する構造でない。又、外周面に多数の孔を形成して回転しながら穀粒を選別する回転選別装置を架設し、分離した小さい穀粒や狭雑物を所定の位置に搬送、排出するコンベヤを設けた回転式の選別装置がある（例えば特許文献２参照。）。車輪を設けた従来技術では、籾摺機の一側底部にローラを配置し略垂直から水平状態に回動するレバーを設け、ローラのリンクアームに接続する連結杆を前記レバーの係合部と連結させ、籾摺機を持上げる昇降装置にしたものがある（例えば特許文献３参照。）。しかしながら、前者のコンベヤ搬送には選別機能を設けずに選別後の穀粒搬送を目的にした構成であり、後者は単列のローラを突出させて重量物の移動を行い易くした昇降装置である。
【０００３】
【特許文献１】特開平１０−５７８９４号公報（第２−３頁、第１、２図）
【特許文献２】特開２００２−１７７８８９号公報（第３−４頁、第１、２図）
【特許文献３】実開平０５−９５６４７号公報（第２−３頁、第１、６図）
【発明の開示】
【発明が解決しようとする課題】
【０００４】
木片等の異物や病虫害で大きくなった被害粒と、微石粒や小さい穀粒の双方を除去する回転選別装置は、格別に選別経路を設けたり分離装置を別に組合せるために構造が複雑になり重量も増加するので、移動や据付けの労力が増大して籾摺機等との配列を難かしくする課題がある。
【課題を解決するための手段】
【０００５】
このような課題を解消する本発明は、多角形のドラムで穀粒を分別する回転選別体の下方にコンベヤを設け、該回転選別体の終端側に向けて穀粒を搬送する選別装置において、外周面に多数の通孔を開口した回転選別体を選別枠の上方に設置し、その下方に設けたコンベヤの受け樋に小孔を穿った下部選別体を並設させ
、大小の異種穀粒と異物を除去する上下二段の選別装置にしたものである。
【０００６】
受け樋に設けた小孔の内側径を外側径よりも狭くし、該小孔をテーパー状に成形して目詰まりになる塵埃や挟み込んだ穀粒が離脱し易い抜き孔の形状にした。
【０００７】
下部選別体に接続する漏斗ケースを選別枠の下方に配置し、該漏斗ケースの両側に形成した空間部にキャスターを出退自在に装着させ、据付けるための移動や籾摺機等に揚穀装置の投入口を臨ませる高さ調節が行える構成にした。
【発明の効果】
【０００８】
病虫害で膨らんだ被害粒（以下稲麹粒とする）や混入する異物の除去を回転選別体２で行い、微石粒や小さい穀粒を並設したコンベヤ３の搬送中に除去する下部選別体７にし、上下二段の選別装置にしたので選別機Ａを拡張させずに単純な構造で大小の異物が除去され、籾摺り作業に均一な整粒が供給できて作業能率が向上するとともに、仕上がり玄米の品質が安定するようになった。又、微石粒を取出す小孔６をテーパー状にして挟み込まれた穀粒が外側に摺り抜け易くしたので目詰まりが防止され、しかも、上下調節を可能にしたキャスター１３ａ、１３ｂを漏斗ケース２７の両側に形成する空間部４に設けた構成は、長手方向に収納スペースが広がり、該キャスター１３が回動するストロークが延長されても上下調節装置が容易に収納できる。又、操作レバー１５ａ、１５ｂを個別に操作することで該キャスター１３が交互に出退し、選別機Ａを持上げる操作力が軽減されて据付けの労力を省力化できる効果がある。
【発明を実施するための最良の形態】
【０００９】
次に、本発明の実施形態を籾摺機に対設した選別機の実施例図を参照にして構造概要を述べる。図１は選別機を断面した側面図であって、図２の正面図に図４の上下調節装置を示す側面図を併用して説明すると、選別枠１１内に多角形の回転選別体２を設けて供給ホッパー２０側を高くし、回転自在に斜設した外周面２１にスリット状の通孔１を多数穿孔して被選別物が反転しながら矢印イ方向に移動させ、この間に良穀粒と細粒が漏下して下部選別体７に回収し、稲麹粒と大きな異物が該回転選別体２の終端部２６から選別機Ａの外に取出す構成である。一方の漏下物に混在する小さな穀粒と微石粒等が受け樋５の小孔６を通過して、漏斗ケース２７の吐出口２２から選別枠１１の下方に落下し、選別後の整粒が揚穀装置２３を介して図８に示す籾摺機Ｂの供給部２５に投入される前記選別機Ａの構成にしたものである。
【００１０】
このような、下部選別体７の構成を図３のコンベヤ部を拡大した断面図に示してあり、水平に装着した受け樋５でコンベヤ３の略半周を包囲して多数の小孔６を穿ったものであって、その小孔６の内側径８を外側径１０よりも狭くしたテーパー状に成形するとともに、漏下物に混入する小さな穀粒と微石粒等を搬送中に抜取り、下部に設けた漏斗ケース２７を介して吐出口２２から選別機Ａの中央付近に落下させ、左右のキャスター１３間に集積する選別経路にしてある。
【００１１】
下部選別体７に生じる目詰まりの解消手段にテーパー状の小孔６を用いたものであって、搬送中の穀粒径が内側径８と一致した際に該小孔６に挟まり目詰まりが発生するが、穀粒が小孔６の入口即ち、内側径８で挟んだ状態であり、該コンベヤ３内に引き戻されたり逆に押し込まれてテーパー状の前記小孔６を摺り抜け易くし、目詰まりを防止した下部選別体７の構成にしたものである。
【００１２】
図５は上下調節装置の斜視図であって、図４の上下調節装置を示す側面図に図２の正面図を併用して上下調節の構造を説明すると、選別機Ａと一体化した揚穀装置２３には投入口３０を設けて籾摺機Ｂの供給部２５に臨ませるが、高さが一致しない場合に該選別機Ａを上昇させるものである。その調節構造は、前後に設けたキャスター１３ａ、１３ｂを可動させ、選別枠１１の下方に装着した支点軸１２から該キャスター１３を延設し、漏斗ケース２７の両側に形成した空間部４に出退自在に装着させ、該支点軸１２の軸端に操作レバー１５を各々連結して、前記選別機Ａが接地する収納状態において該操作レバー１５を垂直にし、選別枠１１に連設するガイド板１６に複数の切欠溝３１を設け、弾性材で成形したアーム３２がこれに係合して前記キャスター１３が所定位置に出退する上下調節装置にしてある。
【００１３】
このような上下調節装置の操作手順は、先ず選別機Ａの終端部２６側に配置した操作レバー１５ａを矢印ロの方向に回動して、選別枠１１内に収納されたキャスター１３ａを突出させるが、供給ホッパー２０側に装着したキャスター１３ｂが収納されたままであって、実線で図４に示すごとく前記選別枠１１の前端部３３が接地面３５に接当し、選別機Ａの揚穀装置２３側が先に持ち上がり所定の切欠溝３１に前記操作レバー１５ａのアーム３２を係合させ、該接地面３５に対して傾斜した状態を保持するものである。次に収納状態のキャスター１３ｂを突出させるレバー操作を行い前記選別機Ａが水平に上昇する操作手順にしたので、該キャスター１３ａ、１３ｂが片側を支点にして交互に出退し、持上げ力を軽減させた上下調節装置にしたものである。
【００１４】
図６は回転選別体の斜視図であって、図７の要部を拡大した断面図を併用して十二角形にした回転選別体内における被選別物の動きを説明すると、主に小米を除去する従来の回転選別機には六角形（内角１２０度）の回転ドラムを用いて攪拌の効果を高め、選別物の全体に混在する小米の除去を促進させたものであるが
、本発明は比重の重い良穀粒が回転選別体２の内面近くに沈降して大半の穀粒が通孔１から漏下し、被害粒や異物が表面に浮揚しながら下手側に移動して終端部２６から排出される該回転選別体２の構成にしたものである。
【００１５】
しかしながら、六角形と同様の攪拌を行えば上層に浮揚した異物が図７に示す矢印ハ方向の反転が大きくなり、被選別物に巻込みながら移動するようになって沈降した良穀粒の漏下を妨げるが、その反転運動を円筒形と六角形の中間状態に緩和させて、被選別物の漏下と攪拌のバランスを調整した十二角形（内角１５０度）の回転選別体２にしたものである。尚矢印ニは、回転選別体の回転方向を示し、点線矢印は微石粒と小さな穀粒が落下する方向を示してある。
【００１６】
図８は回転選別体の展開図であって、図１の側面図を併用して内面に設置したリード板の概要を説明すると、十二面の平面部３７で形成する回転選別体２の外周面２１にスリット状の通孔１を設け、該平面部３７の内側にＬ字形のリード板３８を複数装着し、中央付近をノブボルト４０で固定して矢印方向の回動調節が行える取付け構造にしてあり、前記回転選別体２の回転方向に対して矢印イ方向の搬送を助長するリード角を設けたり、逆方向に傾斜させて搬送抵抗を生じさせる等の角度調節が行えるようにした調節弁である。又、該矢印イ方向と並行に装着した状態を供給ホッパー２０側の配列ライン４１に図示してあって、回転方向に対して直角方向になって被選別物に反転が生じ、攪拌力を高めた調節位置にしたものである。
【００１７】
図９は選別機の昇降にジャッキを装備した実施例図であって、選別枠１１の下方に複数装備したジャッキ４３の構成は、ハンドル付のネジ棒４５を螺合させてロックネジ４２を付設してあり、選別機Ａを水平状態に据付ける接地面３５との隙間調節や籾摺機Ｂ等の関連機器と組合せる高さ調節、並びに選別性能に影響する回転選別体２の傾斜角度の調節等に利用する別途の実施例である。
【００１８】
図１０は搬送経路に設けた仕切り板の斜視図であって、コンベヤ３が矢印イ方向に漏下した穀粒を搬送し、終端部２６を通過した選別後の整粒を揚穀装置２３に受継ぐが（図１を参照）、搬送量が増加すると下部選別体７に隣接する異物の取出し口５０に溢れることがあり、これを防止する仕切り板５１を搬送経路の途中に設けて増加した穀粒を一旦塞き止め、貯留した該穀粒の定量を下手側に搬送させ、前記取出し口５０に溢流する穀粒を防止した仕切り板５１の実施例である。
【００１９】
図１１は受継ぎ部に設けた放出羽根の断面図であって、コンベヤ３から揚穀装置２３に受継ぐ放出羽根５２を該コンベヤ３の終端に連なる一枚の羽根で構成したものが知られている。しかしながら、脱着の操作をするときに受継ぎケース５３内で軸芯が上下に動き、軸端に設けたスプライン５６とボス５７側に穿ったスプライン溝との嵌着がし難くなることから、複数枚の放出羽根５２にして前記受継ぎケース５３内で動く軸芯を規制し、コンベヤ３の脱着を行い易くした実施例である。
【００２０】
図１２は揚穀装置の放出筒に設けた詰まり検出装置の斜視図であって、選別後の整粒を関連機器の供給部２５に投入する際に流量が増加すると、揚穀装置２３の投入口３０から堆積が始まり、底面６０の下側に設置した感圧センサー６１ｂが先に感知し、続いて上側の感圧センサー６１ａが感知するように二個のセンサーを設けてあり、両方の前記感圧センサー６１ａ、６１ｂが「ＯＮ」になる状態で選別機Ａの供給量が停止する検出装置にした実施例である。
【００２１】
以上説明したように、病虫害の被害粒や異物の混入を上下二段に設置した選別体で除去するので、単純な選別装置の組合せ構造によって後工程の籾摺機等に均一な整粒が供給され、作業能率が向上し仕上がり玄米の品質が安定するようになった。又、受け樋５に設けた小孔６をテーパー状にして挟まった穀粒を離脱し易くしたので目詰まりが防止されるとともに、選別機Ａの上下調節を可能にしたキャスター１３ａ、１３ｂを漏斗ケース２７の両側空間部４に設けたので、長手方向の収納スペースが広がり、該キャスター１３が回動するストロークが延長されても上下調節装置の収納が容易に行え、個別に出退する前記キャスター１３が据付けの移動手段と周辺機器との高さ調節を行い易くした調節構造になり、据付けの労力を省力化させる利点がある。
【産業上の利用可能性】
【００２２】
穀物に混在する大小の異物を上下に併設した選別装置で除去し、調整加工をする前に均一な整粒を接続した周辺機器に供給する選別機に活用できる。
【図面の簡単な説明】
【００２３】
【図１】選別機を断面した側面図である。
【図２】選別機を断面した正面図である。
【図３】コンベヤ部を拡大した断面図である。
【図４】選別機の上下調節装置を示す側面図である。
【図５】上下調節装置の斜視図である。
【図６】回転選別体の斜視図である。
【図７】回転選別体の要部を拡大した断面図である。
【図８】回転選別体の展開図ある。
【図９】昇降用ジャッキを装備した別途実施例図である。
【図１０】搬送経路に設けた仕切り板の斜視図である。
【図１１】受継ぎ部に設けた放出羽根の断面図である。
【図１２】放出筒に設けた詰まり検出装置の斜視図である。
【符号の説明】
【００２４】
Ａ・・選別機          Ｂ・・籾摺機
１・・通孔            ２・・回転選別体        ３・・コンベヤ
４・・空間部          ５・・受け樋            ６・・小孔
７・・下部選別体      ８・・内側径          １０・・外側径
１１・・選別枠        １２・・支点軸          １３・・キャスター
１５・・操作レバー    ２１・・外周面          ２３・・揚穀装置
２６・・終端部        ２７・・漏斗ケース      ３１・・切欠溝
３２・・アーム        ３５・・接地面
矢印イ・・穀粒の移動方向
矢印ロ・・操作レバーの回動方向
矢印ニ・・選別体の回転方向
【図１】
2006026466.tif 000003
【図２】
2006026466.tif 000004
【図３】
2006026466.tif 000005
【図４】
2006026466.tif 000006
【図５】
2006026466.tif 000007
【図６】
2006026466.tif 000008
【図７】
2006026466.tif 000009
【図８】
2006026466.tif 000010
【図９】
2006026466.tif 000011
【図１０】
2006026466.tif 000012
【図１１】
2006026466.tif 000013
【図１２】
2006026466.tif 000014